(57)【要約】【課題】収納ケース内の制御基板に対する違法改造行為等を低減でき容易に発見できる遊技機を提供することを目的とする。【解決手段】土台部７１ｂと蓋部７１ａとにより形成される内部空間に制御基板を収納する主基板ケース７１を封印するために、土台部７１ｂと蓋部７１ａとにわたって貼り付けられた封印シール７９の所定部分が、主基板ケース７１と一体化した被覆部７で覆われているので、封印シール７９を剥がし難くでき、主基板ケース７１内の制御基板に対する違法改造行為等を低減でき、主基板ケース７１が仮に分解された場合には、封印シール７９が切断されたり部分的に剥がされたりするので、封印シール７９の切断跡などを検知でき、違法改造等を容易に発見できる。【選択図】図５
2014208242.tif 000002
【特許請求の範囲】
【請求項１】
第１部材と第２部材とを備え、前記第１部材と第２部材とにより形成される内部空間に制御基板を収納する収納ケースと、
前記第１部材と第２部材とを封印するための、前記第１部材と第２部材とにわたって貼り付けられた封印シールと、
前記封印シールの所定部分を覆うように、前記収納ケースと一体化した被覆部と
を備えていることを特徴とする遊技機。
【発明の詳細な説明】
【技術分野】
【０００１】
本発明は、パチンコ機やスロットマシン等の遊技機に関する。
【背景技術】
【０００２】
従来、例えばスロットマシンを代表とする遊技機には、遊技の制御を司る制御基板が設けられており、この制御基板は収納ケースの内部に収納されて遊技機内に取り付けられている。そして、この収納ケースには、この収納ケースを封印するために封印シールが貼り付けられたものがある。
【発明の開示】
【発明が解決しようとする課題】
【０００３】
しかしながら、このような構成を有する従来例の場合には、次のような問題がある。
すなわち、従来のスロットマシンに対しての違法行為には、収納ケースに貼り付けられている封印シールを剥がし、その封印シールを再度使用して違法行為を行うということも考えられる。そして、このような場合には、違法改造等の発見が困難となるおそれがある。
【０００４】
本発明は、このような事情に鑑みてなされたものであって、遊技機に対する違法改造行為等を低減できる遊技機を提供することを目的の１つとする。また、本発明は、遊技機に対する違法改造行為等を容易に発見できる遊技機を提供することを目的の１つとする。
【課題を解決するための手段】
【０００５】
本発明は、このような目的を達成するために、次のような構成を採る。
すなわち、請求項１に記載の発明の遊技機は、第１部材と第２部材とを備え、前記第１部材と第２部材とにより形成される内部空間に制御基板を収納する収納ケースと、前記第１部材と第２部材とを封印するための、前記第１部材と第２部材とにわたって貼り付けられた封印シールと、前記封印シールの所定部分を覆うように、前記収納ケースと一体化した被覆部とを備えていることを特徴とするものである。
【０００６】
［作用・効果］請求項１に記載の発明の遊技機によれば、第１部材と第２部材とを備え、第１部材と第２部材とにより形成される内部空間に制御基板を収納する収納ケースと、第１部材と第２部材とを封印するための、第１部材と第２部材とにわたって貼り付けられた封印シールと、封印シールの所定部分を覆うように、収納ケースと一体化した被覆部とを備えている、すなわち、封印シールの所定部分が被覆部で覆われているので、封印シールを剥がし難くでき、収納ケース内の制御基板に対する違法改造行為等を低減できる。また、収納ケースが仮に分解された場合には、封印シールが切断されたり部分的に剥がされたりすることになるので、封印シールの切断跡や、被覆部等に残存する封印シールの剥離跡などを検知することができ、収納ケースの分解があったことを容易に確認できる。つまり、収納ケース内の制御基板に対する違法改造等を容易に発見できる。また、収納ケースから剥がされた封印シールは、その一部が欠損した状態のものとなってしまうことから、一旦剥がした封印シールを再使用することも低減できる。その結果、違法改造等を低減できる遊技機や、違法改造等を容易に発見できる遊技機を提供することができる。
【発明の効果】
【０００７】
この発明に係る遊技機によれば、第１部材と第２部材とにより形成される内部空間に制御基板を収納する収納ケースを封印するために、第１部材と第２部材とにわたって貼り付けられた封印シールの所定部分が、収納ケースと一体化した被覆部で覆われているので、封印シールを剥がし難くでき、収納ケース内の制御基板に対する違法改造行為等を低減できる。また、収納ケースが仮に分解された場合には、封印シールが切断されたり部分的に剥がされたりすることになるので、封印シールの切断跡や、被覆部等に残存する封印シールの剥離跡などを検知することができ、収納ケースの分解があったことを容易に確認できる。つまり、収納ケース内の制御基板に対する違法改造等を容易に発見できる。その結果、違法改造等を低減できる遊技機や、違法改造等を容易に発見できる遊技機を提供することができる。
【図面の簡単な説明】
【０００８】
【図１】本実施例のスロットマシンの前面扉を閉じた状態の斜視図である。
【図２】スロットマシンの前面扉を開いた状態の斜視図である。
【図３】主制御装置と主基板ケースの組付斜視図である。
【図４】（ａ）はかしめ具によってかしめる前のかしめ部の断面図であり、（ｂ）はかしめ具によってかしめた後のかしめ部の断面図である。
【図５】（ａ）〜（ｃ）は主基板ケースの上部右角部の貼付箇所の拡大斜視図である。
【図６】主基板ケースの封印を解除したときの貼付箇所の拡大斜視図である。
【図７】被覆部の内部に凝固剤を充填した場合のその被覆部の拡大斜視図である。
【図８】（ａ），（ｂ）はミシン目を有する封印シールの主基板ケースへの貼付を説明するための拡大斜視図である。
【発明を実施するための形態】
【０００９】
なお、本明細書は、次のような遊技機に係る発明も開示している。
【００１０】
（１）  請求項１に記載の遊技機において、
前記被覆部は、前記封印シールの両端部を覆うものであることを特徴とする遊技機。
【００１１】
前記（１）に記載の発明によれば、被覆部は、封印シールの両端部を覆うので、封印シールをその両端部から剥がしていくことを防止できることから、封印シールを剥がし難くでき、収納ケース内の制御基板に対する違法改造行為等を低減できる。また、収納ケースの分解の際には封印シールを切断しなければならず、封印シールのこの切断跡を検知することで、収納ケースの分解があったことを容易に確認できる。つまり、収納ケース内の制御基板に対する違法改造等を容易に発見できる。
【００１２】
（２）  請求項１に記載の遊技機、または、前記（１）に記載の遊技機において、
前記被覆部は、前記第１部材または第２部材に一体成形されていることを特徴とする遊技機。
【００１３】
前記（２）に記載の発明によれば、被覆部は第１部材または第２部材に一体成形されているので、被覆部を第１，第２部材から取り除くことを困難とすることができ、被覆部を第１，第２部材から取り除いた後に封印シールを剥がすというようなことを防止できる。その結果、収納ケース内の制御基板に対する違法改造行為等をさらに低減できる。また、仮に被覆部を切断したり破壊したりするなどして第１，第２部材から取り除いて、収納ケースを分解したとしても、この被覆部の傷跡を検知することで、収納ケースの分解があったことを容易に確認できる。つまり、収納ケース内の制御基板に対する違法改造等を容易に発見できる。
【００１４】
（３）  請求項１に記載の遊技機、または、前記（１）または（２）に記載の遊技機において、
前記被覆部は、貼り付けるべき前記封印シールの複数枚数に応じた個数分設けられていることを特徴とする遊技機。
【００１５】
前記（３）に記載の発明によれば、被覆部は貼り付けるべき封印シールの複数枚数に応じた個数分設けられているので、複数枚の封印シールをそれぞれ剥がし難くでき、収納ケース内の制御基板に対する違法改造行為等をさらに低減できる。また、収納ケースが仮に分解された場合には、全ての封印シールが切断されたり剥がされたりすることになるので、封印シールの切断跡や、被覆部に残存する封印シールの剥離跡などをいずれかの封印シールで検知することができ、収納ケースの分解があったことを容易に確認できる。つまり、収納ケース内の制御基板に対する違法改造等を容易に発見できる。
【００１６】
（４）  請求項１に記載の遊技機、または、前記（１）から（３）のいずれかに記載の遊技機において、
前記第１，第２部材は平面視で四角形状であり、
前記第１部材の内側面に前記第２の部材の外側面が接するようにして前記第１，第２部材が嵌合し、
前記被覆部は、前記第１部材の隅部で、なおかつ、端部が隣接するそれぞれの外側面に設けられていることを特徴とする遊技機。
【００１７】
前記（４）に記載の発明によれば、第１，第２部材は平面視で四角形状であり、第１部材の内側面に第２の部材の外側面が接するようにして第１，第２部材が嵌合し、被覆部は、第１部材の隅部で、なおかつ、端部が隣接するそれぞれの外側面に設けられているので、収納ケースの隅部に貼り付けられた封印シールの両端をこの収納ケースの隅部でその外側面にそれぞれに設けられた被覆部で好適に覆うことができ、封印シールを剥がし難くでき、収納ケース内の制御基板に対する違法改造行為等を低減できる。また、収納ケースの分解の際には封印シールを切断しなければならず、封印シールのこの切断跡を検知することで、収納ケースの分解があったことを容易に確認できる。つまり、収納ケース内の制御基板に対する違法改造等を容易に発見できる。なお、ここで言う「四角形状」には、略四角形状も含む。
【００１８】
（５）  請求項１に記載の遊技機、または、前記（１）から（４）のいずれかに記載の遊技機において、
前記被覆部は、細隙形状の開口を有する有底箱型形状であることを特徴とする遊技機。
【００１９】
前記（５）に記載の発明によれば、被覆部は、細隙形状の開口を有する有底箱型形状であるので、被覆部内に指先や剥離用工具などが入らないようにでき、被覆部内に挿入された封印シールの端部を剥がしていくことを防止できることから、封印シールを剥がし難くでき、収納ケース内の制御基板に対する違法改造行為等を低減できる。また、収納ケースの分解の際には封印シールを切断しなければならず、封印シールのこの切断跡を検知することで、収納ケースの分解があったことを容易に確認できる。つまり、収納ケース内の制御基板に対する違法改造等を容易に発見できる。
【００２０】
（６）  請求項１に記載の遊技機、または、前記（１）から（５）のいずれかに記載の遊技機において、
前記被覆部内に前記封印シールの端部が差し入れられた状態でこの被覆部内に凝固剤を充填することを特徴とする遊技機。
【００２１】
前記（６）に記載の発明によれば、被覆部内に封印シールの端部が差し入れられた状態でこの被覆部内に凝固剤を充填するので、被覆部内に挿入された封印シールの端部を剥がしていくことを完全に防止できることから、封印シールを剥がし難くでき、収納ケース内の制御基板に対する違法改造行為等を低減できる。また、収納ケースの分解の際には封印シールを切断しなければならず、封印シールのこの切断跡を検知することで、収納ケースの分解があったことを容易に確認できる。つまり、収納ケース内の制御基板に対する違法改造等を容易に発見できる。
【００２２】
（７）  請求項１に記載の遊技機、または、前記（１）から（５）のいずれかに記載の遊技機において、
前記被覆部内に前記封印シールの端部が差し入れられた状態でこの被覆部の少なくとも開口を閉塞する閉塞部材を前記被覆部に設けていることを特徴とする遊技機。
【００２３】
前記（７）に記載の発明によれば、被覆部内に封印シールの端部が差し入れられた状態でこの被覆部の少なくとも開口を閉塞する閉塞部材を被覆部に設けているので、被覆部内に挿入された封印シールの端部を剥がしていくことを完全に防止できることから、封印シールを剥がし難くでき、収納ケース内の制御基板に対する違法改造行為等を低減できる。また、収納ケースの分解の際には封印シールを切断しなければならず、封印シールのこの切断跡を検知することで、収納ケースの分解があったことを容易に確認できる。つまり、収納ケース内の制御基板に対する違法改造等を容易に発見できる。
【００２４】
（８）  請求項１に記載の遊技機、または、前記（１）から（７）のいずれかに記載の遊技機において、
前記封印シールは、前記第１部材と第２部材とにわたって貼り付けられた状態で、前記第１，第２部材との境界線に沿うようにミシン目が形成されていることを特徴とする遊技機。
【００２５】
前記（８）に記載の発明によれば、封印シールは、第１部材と第２部材とにわたって貼り付けられた状態で、第１，第２部材との境界線に沿うようにミシン目が形成されているので、封印シールを剥がす際に封印シールがそのミシン目で容易に切り離されるので、封印シールのミシン目に沿った切断跡を検知することで、収納ケースの分解があったことを容易に確認できる。つまり、収納ケース内の制御基板に対する違法改造等を容易に発見できる。
【００２６】
（９）  請求項１に記載の遊技機、または、前記（１）から（８）のいずれかに記載の遊技機において、
前記被覆部は透明であることを特徴とする遊技機。
【００２７】
前記（９）に記載の発明によれば、被覆部は透明であるので、被覆部内の封印シールの状態を検知することができ、収納ケース内の制御基板に対する違法改造行為等を低減できる。また、収納ケースが仮に分解された場合には、封印シールが切断されたり剥がされたりすることになるので、封印シールの切断跡や、被覆部に残存する封印シールの剥離跡などを検知することができ、収納ケースの分解があったことを容易に確認できる。つまり、収納ケース内の制御基板に対する違法改造等を容易に発見できる。
【００２８】
（１０）  請求項１に記載の遊技機、または、前記（１）から（９）のいずれかに記載の遊技機において、
前記制御基板は、遊技機の遊技内容を制御する主制御基板であることを特徴とする遊技機。
【００２９】
前記（１０）に記載の発明によれば、主制御基板は遊技機の遊技内容を制御するものであり、遊技者の利益に直接関わるものであることから、違法改造等の標的となる可能性が高いと考えられる。そこで、主制御基板を、上述したような被覆部を備えた収納ケース内に封印することで、収納ケース内の主制御基板に対する違法改造行為等を低減できる。また、収納ケースが仮に分解された場合には、封印シールが切断されたり剥がされたりすることになるので、封印シールの切断跡や、被覆部に残存する封印シールの剥離跡などを検知することができ、収納ケースの分解があったことを容易に確認できる。つまり、収納ケース内の主制御基板に対する違法改造等を容易に発見できる。
【００３０】
（１１）請求項１に記載の遊技機、または、前記（１）から（１０）のいずれかに記載の遊技機において、
前記遊技機はパチンコ機であることを特徴とする遊技機。
【００３１】
前記（１１）に記載の遊技機によれば、収納ケース内の制御基板に対する違法改造等を容易に発見できるパチンコ機を提供できる。なお、パチンコ機の基本構成としては操作ハンドルを備え、その操作ハンドルの操作に応じて球を所定の遊技領域発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３２】
（１２）請求項１に記載の遊技機、または、前記（１）から（１０）のいずれかに記載の遊技機において、
前記遊技機はスロットマシンであることを特徴とする遊技機。
【００３３】
前記（１２）に記載の遊技機によれば、収納ケース内の制御基板に対する違法改造等を容易に発見できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【００３４】
（１３）請求項１に記載の遊技機、または、前記（１）から（１０）のいずれかに記載の遊技機において、
前記遊技機はパチンコ機とスロットマシンとを融合させたものであることを特徴とする遊技機。
【００３５】
前記（１３）に記載の遊技機によれば、収納ケース内の制御基板に対する違法改造等を容易に発見できる、パチンコ機とスロットマシンとを融合させたものを提供できる。なお、この融合させたものの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【００３６】
以下、図面を参照して本発明の実施例を説明する。
本実施例では、遊技機の一例としてスロットマシンを用いて説明する。なお、本発明を弾球遊技機の一種であるパチンコ機、特に、第１種パチンコ遊技機や第３種パチンコ遊技機（権利物とも呼ばれる）、コイン遊技機等の他の遊技機に用いることは、当然に可能である。
【００３７】
図１は、本実施例のスロットマシンの前面扉を閉じた状態の斜視図であり、図２はスロットマシンの前面扉を開いた状態の斜視図である。本実施例のスロットマシン１０は、前面扉１２がその左辺を回転軸として本体１１に回動可能に取り付けられ、前面扉１２を閉じた状態で施錠装置２０により前面扉１２と本体１１とを施錠可能である。
【００３８】
前面扉１２には、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、左回胴Ｌと中回胴Ｍと右回胴Ｒとをそれぞれ透視可能な遊技パネル３０と、略中段付近にて各種ボタン５１，５３〜５６，６１〜６３やスタートレバー５２やメダル投入口５７が設けられた操作部５０と、機種名や遊技に関わるキャラクタなどが表示された下段プレート１６と、メダル払出口１７から払い出されたメダルを受けるメダル受け皿１８とが装着されている。
【００３９】
また、スロットマシン１０の内部には、オンされるとスロットマシン１０の各部に電源を供給する電源スイッチ８１や、スロットマシン１０をリセットするときに操作するリセットスイッチ８２や、図示しない設定キーを挿入することにより、スロットマシン１０の設定状態を変更可能にする設定キー挿入孔８３などを備えている電源ボックス８５や、メダルを貯留する補助タンク８７とこの補助タンク８７内のメダルを払出用通路９２に通じる開口９３を介してメダル払出口１７へ払い出す払出装置８８とから構成されているホッパ８６や、ＣＰＵを中心とするマイクロコンピュータとして構成されており処理プログラムを記憶するＲＯＭや一時的にデータを記憶するＲＡＭや入出力処理回路がバスによって接続されている主制御装置７０や、この主制御装置７０を収納する主基板ケース７１や、ＣＰＵを中心とするマイクロコンピュータとして構成されており主制御装置７０からの出力信号による液晶ディスプレイ１５の表示内容の制御を行う表示用制御装置９４が装着されている。なお、上述した主制御装置７０が本発明における制御基板に相当し、上述した主基板ケース７１が本発明における収納ケースに相当する。
【００４０】
遊技パネル３０は、左回胴Ｌ、中回胴Ｍ、右回胴Ｒの停止中または回転中の様子を外部に露出する露出窓３１Ｌ，３１Ｍ，３１Ｒを備え、露出窓３１Ｌの左側に配設された５つのベットランプ３２，３３，３３，３４，３４と、この露出窓３１Ｌ，３１Ｍ，３１Ｒの下側に配設されている、スロットマシン内部に貯留されている枚数を表示するものであるクレジット枚数表示部３５と、ビックボーナス時にあと何回ＪＡＣ（ジャック）インできるかとかＪＡＣゲーム時にあと何回ＪＡＣ図柄成立が残っているかといった回数を表示するものであるゲーム数表示部３６と、有効ライン上に同じ図柄が揃って入賞したときに払い出された枚数を表示するものである払出枚数表示部３７とを備えている。
【００４１】
操作部５０は、前面扉１２の前面部に設けられたクレジットボタン５１、スタートレバー５２、左回胴用ストップボタン５３、中回胴用ストップボタン５４、右回胴用ストップボタン５５、および返却ボタン５６と、前面扉１２の水平段部に設けられたメダル投入口５７、１枚ベットボタン６１、２枚ベットボタン６２およびマックスベットボタン６３とを備えている。
【００４２】
図３は、主制御装置７０と主基板ケース７１の組付斜視図である。図３に示すように、主基板ケース７１は、蓋となる蓋部７１ａと、土台となる土台部７１ｂとで構成されている。
【００４３】
蓋部７１ａは、上部の左側および右側にそれぞれ２個ずつ合計４個の土台接合受け部５ａ，５ａ，５ａ，５ａを備え、上部の左右両端にネジを挿通可能な挿通孔６ａ，６ａを備え、上部の左右両角に封印シール７９（図５（ｂ）を参照）の貼付位置を明らかにするための凸状のシール枠７６，７６を備え、下部の一端から他端まで略均等な間隔で並ぶ９個の突起からなる蓋突起部４ａを備えている。
【００４４】
土台部７１ｂは、上部に土台接合受け部５ａ，５ａ，５ａ，５ａに対応する土台接合部５ｂ，５ｂ，５ｂ，５ｂを備え、上部の略両端に雌ネジ部６ｃ，６ｃを備え、下部に蓋突起部４ａの９個の突起に対応する９個の差し込み口からなる蓋突起受け部４ｂを備えている。さらに、この土台部７１ｂは、上部の左右両角に、後述する貼り付けられた封印シール７９（図５（ｃ）を参照）の所定部分（例えば端部）を覆うための被覆部７を、それぞれ２個ずつ備え、つまり合計４個備えている。この被覆部７は、主制御装置７０が収納される収納側に細隙形状の開口を有するとともに、その収納側とは反対側に底が設けられた有底箱型形状のものであり、土台部７１ｂに一体成形されている。被覆部７のこの細隙形状の開口は、例えば、少なくとも封印シール７９の端部を挿入することが可能な程度の大きさ以上であって、人の指先あるいは剥離用工具（封印シール７９を剥がすための工具）が入らない程度に大きさとしたものである。また、土台部７１ｂに設けられた被覆部７は透明な材質で形成されているので、被覆部７の内部に挿入された封印シール７９を、この被覆部７の外部から見ることができ、その状態を確認できるようになっている。
【００４５】
なお、上述した土台部７１ｂが本発明における第１部材に相当し、上述した蓋部７１ａが本発明における第２部材に相当する。
【００４６】
そして、主制御装置７０を収納した土台部７１ｂに対して蓋部７１ａが略垂直になるように蓋突起部４ａを蓋突起受け部４ｂに嵌め込むと、蓋部７１ａが土台部７１ｂに対して下辺を軸として回動可能になり、蓋部７１ａを回動させて土台部７１ｂに合せて閉じた状態にする。なお、蓋突起部４ａと蓋突起受け部４ｂとは、蓋部７１ａと土台部７１ｂとのなす角度が所定角度（ここでは例えば約６０°）を超えたときに着脱可能であり、所定角度以内の時には互いに噛み合って着脱できないような機構をとっている。
【００４７】
蓋部７１ａと土台部７１ｂとが閉じた状態のとき、蓋部７１ａの下面を除く３側面は土台部７１ｂの各々対応する３側面の内側に内包される状態となり、土台接合部５ｂ，５ｂ，５ｂ，５ｂは各々に対応した土台接合受け部５ａ，５ａ，５ａ，５ａの内側に内包される。また、蓋部７１ａの挿通孔６ａ，６ａと、主制御装置７０の上部の略両端にある挿通孔６ｂ，６ｂと、土台部７１ｂの雌ネジ部６ｃ，６ｃとが整合する。このため、ネジを挿通孔６ａ，６ａから挿通孔６ｂ，６ｂを介して雌ネジ部６ｃ，６ｃにねじ込むことにより、蓋部７１ａと土台部７１ｂとが一体化されて主制御装置７０が主基板ケース７１の内部に密閉される。このとき、主基板ケース７１の下部は、蓋突起部４ａと蓋突起受け部４ｂとが噛み合うことによって密閉されている。
【００４８】
蓋部７１ａと土台部７１ｂとで主制御装置７０を密閉する構成を採ったあと、土台接合部５ｂ，５ｂ，５ｂ，５ｂと土台接合受け部５ａ，５ａ，５ａ，５ａとが整合した構成を採るかしめ部５，５，５，５のうちの両端にある２つのかしめ部５，５をかしめて封印する。図４は、かしめ部の断面図である。図４（ａ）は、１個のかしめ部５をかしめ金具３によってかしめる前の断面図であり、この図に示すように、土台接合受け部５ａは土台接合部５ｂを内包するように整合している。このとき、整合した土台接合受け部５ａから土台接合部５ｂにわたってかしめ金具３を差し込むための差込口５ｄが通じている。図４（ｂ）は、１個のかしめ部５をかしめ金具３によってかしめたときの断面図であり、この図に示すように、かしめ金具３にはかしめ枝３ａがあり、かしめ金具３は一度かしめ部５の差込口５ｄに差し込むとかしめ枝３ａが邪魔することにより２度と抜けない構造となっている。主制御装置７０の検査等で主基板ケース７１の封印を解除するときにはかしめ部５を切断線５ｃに沿って切断して封印を解除する。なお、かしめ部５を切断線５ｃに沿って切断すると、土台接合受け部５ａの切断された部分が封印解除の痕跡として土台接合部５ｂにくっついたままで残る。その後再び主基板ケース７１を封印するときには、残りの２つのかしめ部５、５をかしめて主基板ケース７１を封印するため、合計２回封印することができる。
【００４９】
図５は、主基板ケースの上部右角部の貼付箇所の拡大斜視図である。図５（ａ）は、蓋部７１ａと土台部７１ｂとを一体化させる前の各々の右角隅の拡大斜視図である。この図に示すように、蓋部７１ａと土台部７１ｂとは、蓋部７１ａの蓋周面Ｆ１が土台部７１ｂの土台周面Ｆ２の内側に入り込み嵌合する形状となっている。また、蓋前面Ｆ３の右上部角には、凸状のシール枠７６を斜辺とする略三角形の領域Ｔが形成されている。この略三角形の領域Ｔは、封印シール７９（図５（ｂ）を参照）の貼付箇所７５（図５（ｂ）を参照）の一部をなすとともにネジを挿通可能な挿通孔６ａを有している。
【００５０】
図５（ｂ）は、蓋部７１ａと土台部７１ｂとが一体化したときの貼付箇所７５の拡大斜視図である。この図に示すように、蓋部７１ａと土台部７１ｂとを一体化させると、前面扉１２を開いたときに遊技機の本体１１の開口から視認できる面である蓋前面Ｆ３と土台前面Ｆ４とが同一平面となる。また、蓋前面Ｆ３と土台前面Ｆ４との繋ぎ目部７７は、全体形状が略四角形状を呈しているため４つの辺から成っているが、図５（ｂ）にはそのうちの上辺７７ａと右辺７７ｂが表れている。そして、管理番号等が印字された長方形の封印シール７９は、長辺をシール枠７６に沿わせつつ、略三角形の領域Ｔを中心として、繋ぎ目部７７の上辺７７ａのうち略三角形の領域Ｔの一辺をなす部分と繋ぎ目部７７の右辺７７ｂのうち略三角形の領域Ｔの一辺をなす部分とを跨ぐようにして貼り付けられる。
【００５１】
図５（ｃ）は、封印シール７９を貼付した貼付箇所７５の拡大斜視図である。この図に示すように、貼り付けられた封印シール７９は、略四角形状に表れる繋ぎ目部７７のうち隣り合う２辺である上辺７７ａと右辺７７ｂとを跨ぐように貼り付けられ、なおかつ、この封印シール７９の両端は土台部７１ｂの被覆部７の内部にそれぞれ挿入された状態で貼り付けられ、これにより主基板ケース７１の蓋部７１ａと土台部７１ｂとを封印している。なお、封印シール７９の端部を被覆部７の内部に挿入して貼り付ける際に、被覆部７の開口に挿入可能な棒状部材等を用いて、封印シール７９の端部を被覆部７の内部に挿入するとともに、その端部を被覆部７の内部に押し付けて貼り付けるようにしてもよい。また、貼り付けられた封印シール７９のうち管理番号等が印字されている部分は、前面扉１２を開いたときに遊技機の本体１１の開口から視認できる面（同一平面化した蓋前面Ｆ３及び土台前面Ｆ４）上にある。さらに、封印シール７９は主基板ケース７１の上部右角にて、挿通孔６ａに挿通されたネジ６の頭部を被覆し、主基板ケース７１の前面Ｓ１と上面Ｓ２と右側面Ｓ３との３面に跨って貼付されている。なお、主基板ケース７１の左上部角も同様の構成を採る。
【００５２】
図６は、主基板ケース７１を構成する蓋部７１ａと土台部７１ｂとの封印を不正に解除したときの拡大斜視図である。この図に示すように、封印シール７９によって封印された主基板ケース７１の封印を不正に解除するときには、例えば封印シール７９を繋ぎ目部７７のうち上辺７７ａと右辺７７ｂとに沿って切断する。したがって、封印シール７９の上辺７７ａに沿った上切断跡８０ａと右辺７７ｂに沿った右切断跡８０ｂとが前面Ｓ１上に表れることになる。その後、主基板ケース７１を蓋部７１ａと土台部７１ｂとに離間させたいときには、切断した封印シール７９の貼付箇所７５に貼付されている部分を剥がし、挿通孔６ａにねじ込まれているネジ６を外し、封印されている２つめのかしめ部５，５の切断線５ｃ，５ｃに沿って切断した後、蓋部７１ａと土台部７１ｂとを離間させる。
【００５３】
また、例えば前面Ｓ１と上面Ｓ２と右側面Ｓ３との３面に跨って貼付されている封印シール７９を全て剥がすことによって、主基板ケース７１の封印を解除した場合には、封印シール７９は脆性シールであるために、前面Ｓ１と上面Ｓ２と右側面Ｓ３との各面上に封印シールを剥がした痕跡が表れることになる。
【００５４】
上述したように本実施例のスロットマシン１０によれば、土台部７１ｂと蓋部７１ａとを備え、土台部７１ｂと蓋部７１ａとにより形成される内部空間に主制御装置７０を収納する主基板ケース７１と、土台部７１ｂと蓋部７１ａとを封印するための、土台部７１ｂと蓋部７１ａとにわたって貼り付けられた封印シール７９と、この封印シール７９の所定部分を覆うように、主基板ケース７１と一体化した被覆部７とを備えている、すなわち、封印シール７９の所定部分が被覆部７で覆われているので、封印シール７９を剥がし難くでき、主基板ケース７１内の主制御装置７０に対する違法改造行為等を低減できる。また、主基板ケース７１が仮に分解された場合には、封印シール７９が切断されたり部分的に剥がされたりすることになるので、封印シール７９の切断跡や、被覆部７等に残存する封印シール７９の剥離跡などを検知することができ、主基板ケース７１の分解があったことを容易に確認できる。つまり、主基板ケース７１内の主制御装置７０に対する違法改造等を容易に発見できる。また、主基板ケース７１から剥がされた封印シール７９は、その一部が欠損した状態のものとなってしまうことから、一旦剥がした封印シール７９を再使用することも低減できる。その結果、違法改造等を低減できるスロットマシンや、違法改造等を容易に発見できるスロットマシンを提供することができる。
【００５５】
また、被覆部７は、封印シール７９の両端部を覆うので、封印シール７９をその両端部から剥がしていくことを防止できることから、封印シール７９を剥がし難くでき、主基板ケース７１内の主制御装置７０に対する違法改造行為等を低減できる。また、主基板ケース７１の分解の際には封印シール７９を切断しなければならず、封印シール７９のこの切断跡を検知することで、主基板ケース７１の分解があったことを容易に確認できる。つまり、主基板ケース７１内の主制御装置７０に対する違法改造等を容易に発見できる。
【００５６】
また、被覆部７は土台部７１ｂに一体成形されているので、被覆部７を土台部７１ｂから取り除くことを困難とすることができ、被覆部７を土台部７１ｂから取り除いた後に封印シール７９を剥がすというようなことを防止できる。その結果、主基板ケース７１内の主制御装置７０に対する違法改造行為等をさらに低減できる。また、仮に被覆部７を切断したり破壊したりするなどして土台部７１ｂから取り除いて、主基板ケース７１を分解したとしても、この被覆部７の傷跡を検知することで、主基板ケース７１の分解があったことを容易に確認できる。つまり、主基板ケース７１内の主制御装置７０に対する違法改造等を容易に発見できる。
【００５７】
また、被覆部７は貼り付けるべき封印シール７９の複数枚数に応じた個数分設けられているので、複数枚の封印シール７９をそれぞれ剥がし難くでき、主基板ケース７１内の主制御装置７０に対する違法改造行為等をさらに低減できる。また、主基板ケース７１が仮に分解された場合には、全ての封印シール７９が切断されたり剥がされたりすることになるので、封印シール７９の切断跡や、被覆部７に残存する封印シール７９の剥離跡などをいずれかの封印シール７９で検知することができ、主基板ケース７１の分解があったことを容易に確認できる。つまり、主基板ケース７１内の主制御装置７０に対する違法改造等を容易に発見できる。
【００５８】
また、土台部７１ｂと蓋部７１ａとは平面視で四角形状であり、土台部７１ｂの内側面に蓋部７１ａの外側面が接するようにして土台部７１ｂと蓋部７１ａが嵌合し、被覆部７は、土台部７１ｂの隅部で、なおかつ、端部が隣接するそれぞれの外側面に設けられているので、主基板ケース７１の隅部に貼り付けられた封印シール７９の両端をこの主基板ケース７１の隅部でその外側面にそれぞれに設けられた被覆部７で好適に覆うことができ、封印シール７９を剥がし難くでき、主基板ケース７１内の主制御装置７０に対する違法改造行為等を低減できる。また、主基板ケース７１の分解の際には封印シール７９を切断しなければならず、封印シール７９のこの切断跡を検知することで、主基板ケース７１の分解があったことを容易に確認できる。つまり、主基板ケース７１内の主制御装置７０に対する違法改造等を容易に発見できる。
【００５９】
また、被覆部７は、細隙形状の開口を有する有底箱型形状であるので、被覆部７内に指先や剥離用工具などが入らないようにでき、被覆部７内に挿入された封印シール７９の端部を剥がしていくことを防止できることから、封印シール７９を剥がし難くでき、主基板ケース７１内の主制御装置７０に対する違法改造行為等を低減できる。また、主基板ケース７１の分解の際には封印シール７９を切断しなければならず、封印シール７９のこの切断跡を検知することで、主基板ケース７１の分解があったことを容易に確認できる。つまり、主基板ケース７１内の主制御装置７０に対する違法改造等を容易に発見できる。
【００６０】
また、被覆部７は透明であるので、被覆部７内の封印シール７９の状態を検知することができ、主基板ケース７１内の主制御装置７０に対する違法改造行為等を低減できる。また、主基板ケース７１が仮に分解された場合には、封印シール７９が切断されたり剥がされたりすることになるので、封印シール７９の切断跡や、被覆部７に残存する封印シール７９の剥離跡などを検知することができ、主基板ケース７１の分解があったことを容易に確認できる。つまり、主基板ケース７１内の主制御装置７０に対する違法改造等を容易に発見できる。
【００６１】
この発明は、上記実施形態に限られることはなく、同様の効果を奏する別の構成としてもよく、例えば下記のように変形実施することができる。
【００６２】
＜１＞図７に示すように、被覆部７の内部に封印シール７９の端部が差し入れられた状態（例えば、挿入されて貼り付けられた状態など）で、この被覆部７の内部に凝固剤８（例えば、樹脂など）を充填するようにしてもよい。この場合には、被覆部７内に封印シール７９の端部が差し入れられた状態でこの被覆部７内に凝固剤８を充填するので、被覆部７内に挿入された封印シール７９の端部を剥がしていくことを完全に防止できることから、封印シール７９を剥がし難くでき、主基板ケース７１内の主制御装置７０に対する違法改造行為等を低減できる。また、主基板ケース７１の分解の際には封印シール７９を切断しなければならず、封印シール７９のこの切断跡を検知することで、主基板ケース７１の分解があったことを容易に確認できる。つまり、主基板ケース７１内の主制御装置７０に対する違法改造等を容易に発見できる。
【００６３】
＜２＞図８に示すように、封印シール７９は、土台部７１ｂと蓋部７１ａとにわたって貼り付けられた状態で、土台部７１ｂと蓋部７１ａとの境界線に沿うようにミシン目９が形成されたものとしてもよい。この場合には、封印シール７９を剥がす際に封印シール７９がそのミシン目９で容易に切り離されるので、封印シール７９のミシン目９に沿った切断跡を検知することで、主基板ケース７１の分解があったことを容易に確認できる。つまり、主基板ケース７１内の主制御装置７０に対する違法改造等を容易に発見できる。
【００６４】
＜３＞上述した実施例では、制御基板を主制御装置７０としているが、主制御装置７０以外の各種の制御基板（例えば、主制御装置７０から送信されるコマンドに基づいて賞球や貸し球の払い出し制御を行う払出制御装置等）としてもよい。
【００６５】
＜４＞上述した実施例では、第１部材を単一の部材としている、つまり、上述の土台部７１ｂのように単一の部材としているが、第１部材を複数個の部材からなるようにしてもよい。例えば、土台部７１ｂがその横方向の中心付近で縦方向に２つに分割されたもの等であってもよい。また、上述した実施例では、第２部材を単一の部材としている、つまり、上述の蓋部７１ａのように単一の部材としているが、第２部材を複数個の部材からなるようにしてもよい。例えば、蓋部７１ａがその横方向の中心付近で縦方向に２つに分割されたもの等であってもよい。
【００６６】
＜５＞上述した実施例では、主基板ケース７１の上部両角にそれぞれ封印シール７９を貼り付ける、つまり、主基板ケース７１の所定位置に封印シール７９を２枚貼り付けるため、主基板ケース７１の上部両角に被覆部７を合計４個設けているが、貼り付けるべき封印シール７９の枚数に応じた分だけ被覆部７を設けるようにしてもよい。例えば、主基板ケース７１に封印シール７９を１枚だけ貼り付けるのであれば、被覆部７は合計２個でよいし、主基板ケース７１に封印シール７９を３枚貼り付けるのであれば、被覆部７は合計６個設ければよい。
【００６７】
＜６＞上述した実施例では、土台部７１ｂの内側面に蓋部７１ａの外側面が接するようにして土台部７１ｂと蓋部７１ａとが嵌合する、つまり、蓋部７１ａの外側面が土台部７１ｂの内側面に内包されるという主基板ケース７１としているが、収納ケースを構成する第１，第２部材の形状は、上述の実施例での主基板ケース７１を構成する蓋部７１ａと土台部７１ｂとの形状に限定されるものではなく、種々の形状のものにも好適に適用可能である。例えば、土台部７１ｂの主制御装置７０側の面と、蓋部７１ａの主制御装置７０側の面とが接するようにして土台部７１ｂと蓋部７１ａとが嵌合するという主基板ケース７１としてもよく、この場合には、土台部７１ｂと蓋部７１ａのそれぞれに被覆部７を設けるようにする。
【００６８】
＜７＞上述した実施例では、主基板ケース７１の上部角部に斜めに封印シール７９を貼り付けることから、土台部７１ｂの上部角部の２つの被覆部７を１組（ペア）としているが、主基板ケース７１の任意の箇所に縦方向または横方向等に封印シール７９を貼り付けることとし、それに応じて被覆部７を設けるようにしてもよい。
【００６９】
＜８＞上述した実施例では、封印シール７９の両端を被覆部７で覆うことで、封印シール７９を最も剥がし難くしているが、封印シール７９の少なくとも一端を被覆部７で覆うようにしてもよい。この場合には、封印シール７９を剥がす際に、被覆部７の内部の封印シール７９の端部が剥がされずに残ったり、被覆部７の内部に封印シール７９の剥がした痕跡が残るので、主基板ケース７１内の主制御装置７０に対する違法改造行為等を低減できる。また、封印シール７９の端部以外の一部を、両端に開口を有するような被覆部で覆うようにしてもよい。この場合にも、封印シール７９を剥がす際に、被覆部の内部の封印シール７９の一部が剥がされずに残ったり、被覆部の内部に封印シール７９の剥がした痕跡が残るので、主基板ケース７１内の主制御装置７０に対する違法改造行為等を低減できる。
【００７０】
＜９＞被覆部７の内部に封印シール７９の端部が差し入れられた状態（例えば、挿入されて貼り付けられた状態など）で、この被覆部７の少なくとも開口を閉塞する閉塞部材を被覆部７に設けるようにしてもよい。この閉塞部材としては、被覆部７の開口を塞ぐものであればよく、被覆部７内に圧入される圧入部材も含まれる。この場合には、被覆部７内に封印シール７９の端部が差し入れられた状態でこの被覆部７の開口を閉塞部材で閉塞するので、被覆部７内に挿入された封印シール７９の端部を剥がしていくことを完全に防止できることから、封印シール７９を剥がし難くでき、主基板ケース７１内の主制御装置７０に対する違法改造行為等を低減できる。また、主基板ケース７１の分解の際には封印シール７９を切断しなければならず、封印シール７９のこの切断跡を検知することで、主基板ケース７１の分解があったことを容易に確認できる。つまり、主基板ケース７１内の主制御装置７０に対する違法改造等を容易に発見できる。
【００７１】
＜１０＞本発明を上記実施例とは異なるタイプの遊技機（例えば、パチンコ機等）に実施してもよい。例えば、弾球遊技機の一種であるパチンコ機、特に、第１種パチンコ遊技機や権利物とも呼ばれる第３種パチンコ遊技機などに実施してもよい。例えば、第３種パチンコ遊技機とは、一度大当たりすると、それを含めて複数回（例えば２回、３回）大当たり状態が発生するまで、大当たり期待値が高められるようなパチンコ機（通称、２回権利物、３回権利物と称される。）である。また、大当たり図柄が表示された後に、所定の領域に球を入賞されることを必要条件として特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【００７２】
なお、パチンコ機の基本構成としては操作ハンドルを備え、その操作ハンドルの操作に応じて球を所定の遊技領域発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【００７３】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【００７４】
なお、本明細書に開示する種々の発明に関して、全ての構成要素について種々の組み合わせが可能であり、他の構成要件がなくても単独で発明として成立する点に留意されたい。
【産業上の利用可能性】
【００７５】
以上のように、この発明は、パチンコ機等の遊技機に適している。
【符号の説明】
【００７６】
７１ａ  …  蓋部（第２部材）
７１ｂ  …  土台部（第１部材）
７０    …  主制御装置（制御基板）
７１    …  主基板ケース（収納ケース）
７９    …  封印シール
７    …  被覆部
８    …  凝固剤
９    …  ミシン目
【図１】
2014208242.tif 000003
【図２】
2014208242.tif 000004
【図３】
2014208242.tif 000005
【図４】
2014208242.tif 000006
【図５】
2014208242.tif 000007
【図６】
2014208242.tif 000008
【図７】
2014208242.tif 000009
【図８】
2014208242.tif 000010